(57)【要約】  システム及びシステムを構成するための関連方法が提供され、システムは、ユーザに感覚的効果を提供するための１つ以上のコンポーネントを有し、ユーザは、システムと相互運用するように構成されたポータブルメディアデバイスを有し、方法は、（ｉ）メディアデバイス（２０）のユーザ（２６）に、システムの１つ以上のコンポーネントの構成に関する命令を表示する、又は、該ユーザから該命令を受けるステップであって、命令は、ユーザによる期待される物理的応答を有する、ステップと、（ｉｉ）メディアデバイス（２０）に組み込まれる、ユーザ（２６）の物理的応答を検出するように構成されたセンサからデータを受信するステップと、（ｉｉｉ）ユーザ（２６）の検出された物理的応答が表示された又は受けた命令に関連するかどうかを判断するステップと、を含む。システムは、照明、オーディオ、ディスプレイ、暖房、冷房又は他の環境制御システムであってもよく、方法は、システムがより正確且つ完全に構成されることを可能にする。
2020530651.tif 000002
【特許請求の範囲】
【請求項１】
ユーザに感覚的効果を提供するための１つ以上のコンポーネントを有するシステムを構成するための方法であって、ユーザは、前記システムと相互運用するように構成されたメディアデバイスを有し、当該方法は、
（ｉ）前記メディアデバイスのユーザに、前記システムの前記１つ以上のコンポーネントの構成に関する命令を表示するステップであって、前記命令は、前記ユーザが前記１つ以上のコンポーネントの前記構成を実行することによってもたらされる、前記ユーザによる期待される物理的応答を有する、ステップと、
（ｉｉ）前記メディアデバイスに組み込まれる、前記ユーザの物理的応答を検出するように構成されたセンサからデータを受信するステップと、
（ｉｉｉ）前記ユーザの検出された前記物理的応答が表示された前記命令に関連するかどうかを判断するステップと、
を含む、方法。
【請求項２】
前記センサは、前記メディアデバイスに組み込まれたカメラであり、前記メディアデバイスは、前記ステップ（ｉｉ）において、前記カメラから受ける画像データの分析により、前記ユーザの物理的応答を検出するように構成される、請求項１に記載の方法。
【請求項３】
前記メディアデバイスは、前記ステップ（ｉｉ）において、前記ユーザの頭が前記カメラの視野内にある場合、前記メディアデバイスに対する前記ユーザの頭の向きの変化を検出するように構成される、請求項２に記載の方法。
【請求項４】
前記メディアデバイスは、前記メディアデバイスの動きに関するデータを出力するように構成された動きセンサを組み込み、前記メディアデバイスは、前記ステップ（ｉｉ）において、前記動きセンサから受ける動きデータの分析により、前記ユーザの物理的応答を検出するように構成される、請求項２又は３に記載の方法。
【請求項５】
当該方法は、
（ｉｖ）前記ステップ（ｉｉｉ）において、前記ユーザの物理的応答が検出されない、又は表示された若しくは受けた前記命令に関連しない場合、前記ユーザによる物理的応答をトリガするためにプロンプト条件を生成する、請求項１乃至４のいずれか一項に記載の方法。
【請求項６】
前記プロンプト条件は、前記ユーザにメッセージを表示すること、前記メディアデバイスのディスプレイへの更新をサスペンドすること、可聴信号を生成すること、及び前記メディアデバイスを振動させることのうちの少なくとも１つを含む、請求項５に記載の方法。
【請求項７】
前記システムの前記１つ以上のコンポーネントは、音響源、ディスプレイ、換気源、熱源、冷房デバイス、光源及び遮蔽デバイスを含む、請求項１乃至６のいずれか一項に記載の方法。
【請求項８】
前記システムは、照明システムであり、前記１つ以上のコンポーネントは、前記ユーザの近傍に位置する１つ以上の光源を含み、前記メディアデバイスは、前記照明システムと相互運用するように構成される、請求項１乃至６のいずれか一項に記載の方法。
【請求項９】
前記メディアデバイスは、前記メディアデバイスに対する前記１つ以上の光源の位置を決定する、又は該位置を定義するデータを受信する、及び、前記ステップ（ｉｉ）において、前記１つ以上の光源の既知の位置に対する前記ユーザの頭の向きの変化を検出するように構成される、請求項８に記載の方法。
【請求項１０】
前記ステップ（ｉ）は、前記１つ以上の光源の１つによる可視インディケーションをトリガすることを含み、前記期待される物理的応答は、前記ユーザが、およそ前記光源の方向に頭を向けることを含む、請求項８又は９に記載の方法。
【請求項１１】
ユーザに感覚的効果を提供するための１つ以上のコンポーネントを有するシステムを制御するように構成されたメディアデバイスであって、当該メディアデバイスは、前記システムを構成するために前記システム及びユーザとインタラクトするように構成され、前記構成することは、前記ユーザに、前記システムの前記１つ以上のコンポーネントの構成に関する命令を表示することであって、前記命令は、前記ユーザが前記１つ以上のコンポーネントの前記構成を実行することによってもたらされる、前記ユーザによる期待される物理的応答を有する、ことと、前記ユーザの物理的応答を検出するために当該メディアデバイスに組み込まれたセンサからデータを受信することと、前記ユーザの検出された前記物理的応答が表示された前記命令に関連するかどうかを判断することと、を含む、メディアデバイス。
【請求項１２】
当該メディアデバイスは、カメラ及び動きセンサのうちの少なくとも１つを組み込み、当該メディアデバイスは、前記カメラから受ける画像データの分析により、又は、前記動きセンサから受ける動きデータの分析により、前記ユーザの物理的応答を検出するように構成される、請求項１１に記載のメディアデバイス。
【請求項１３】
当該メディアデバイスは、前記ユーザの物理的応答が検出されない、又は表示された若しくは受けた前記命令に関連しない場合、前記ユーザによる物理的応答をトリガするためにプロンプト条件を生成するように構成される、請求項１２に記載のメディアデバイス。
【請求項１４】
照明システムであって、当該照明システムは、
１つ以上の光源と、
メディアデバイスによって当該照明システムの構成を可能にするための前記メディアデバイスへのインターフェースと、
を含み、前記インターフェース及び前記メディアデバイスは、請求項８、９又は１０に記載の方法を実施するように構成される、照明システム。
【請求項１５】
コンピュータプロセッサにインストールされ、実行された場合、前記コンピュータプロセッサに請求項１乃至１０のいずれか一項に記載の方法を実施させるコンピュータプログラムコードを含むコンピュータプログラム。
【発明の詳細な説明】
【技術分野】
【０００１】
本開示は、ポータブル又はハンドヘルドメディアデバイスを使用したシステムの構成(configuration)に関し、とりわけ、感覚的効果(sensory effect)を提供するシステムの構成に関する。本開示は、とりわけ、ポータブル又はハンドヘルドメディアデバイスを使用した照明システムの構成に関する。
【背景技術】
【０００２】
照明システム、例えば、本出願人により供給されるＨｕｅ（登録商標）パーソナル照明キットが知られている。Ｈｕｅ（登録商標）パーソナルライティングキットは、１つ以上の制御可能な光源及びブリッジデバイスを提供する。ブリッジデバイスは、光源が、さまざまな異なるユーザ定義可能な照明効果を提供するためにどこからでも構成及び制御され得るように、インターネットにリンクされてもよい。インターネットにアクセスできる「スマート」モバイルフォン等のポータブル又はハンドヘルドメディアデバイスを使用してこのようなシステムを構成することも知られている。ダウンロード可能なソフトウェアモジュール（「アプリ」）が、デバイスのユーザが、ブリッジデバイスを介して照明システムコンポーネントとインタラクトすること及び該システムを構成することを可能にするように、モバイルフォンで実行するために利用可能である。
【０００３】
他のタイプのシステムには、「アプリ」を実行するモバイルフォン又はインストールされた構成ソフトウェア(configuration software)を実行する他のポータブルコンピューティングデバイスを使用して当該システムの構成又は操作を可能にするインターフェースを提供するものが知られている。このようなシステムには、家庭用及び商業用の環境制御システム、エンターテインメントシステム、サウンドシステム、照明システム等が含まれる。このようなシステムは、特定のフィーチャを構成する際にユーザが物理的に立ち会う必要があり得るという共通点がある。例えば、ユーザが、システムの特定のコンポーネントが意図した位置から意図した感覚的効果を生み出していることを確認する必要があり得る。
【発明の概要】
【発明が解決しようとする課題】
【０００４】
照明システムの特定の例では、典型的な構成プロシージャの１つの要素は、ユーザに対する照明システムの１つ又は複数のライトの位置を定義することを伴う。これは、ユーザに、モバイルフォンで実行するアプリによって提供されるユーザインターフェースに光源の物理的な配置の詳細を入力させることを要し得る。モバイルフォンは、光源の配置の仮想的な表現を記憶する又は照明システムブリッジと共有する。ユーザは、ユーザインターフェースを介して、仮想的な配置が物理的な配置とマッチすることを確認することを要し得る。光源の物理的な配置がモバイルフォンアプリ又はブリッジで定義されたものと異なる場合、ユーザが意図したものとは異なるライトがアクティブにされ得る。
【課題を解決するための手段】
【０００５】
本願明細書に開示される第１の態様によれば、ユーザに感覚的効果を提供するための１つ以上のコンポーネントを有するシステムを構成するための方法であって、ユーザは、システムと相互運用するように構成されたポータブルメディアデバイスを有し、当該方法は、
（ｉ）メディアデバイスのユーザに、システムの１つ以上のコンポーネントの構成に関する命令を表示する、又は、該ユーザから該命令を受けるステップであって、命令は、ユーザによる期待される物理的応答(expected physical response)を有する、ステップと、
（ｉｉ）メディアデバイスに組み込まれる、ユーザの物理的応答を検出するように構成されたセンサからデータを受信するステップと、
（ｉｉｉ）ユーザの検出された物理的応答が表示された又は受けた命令に関連するかどうかを判断するステップと、
を含む、方法が提供される。
【０００６】
この方法により、インタラクティブであることが意図されている構成プロセスは、正確且つ意図したとおりに完了する可能性がより高くなる。１つ以上の組み込みセンサを有するポータブル又はハンドヘルドメディアデバイスの使用は、ユーザによる物理的応答を検出する多くの方法を可能にする。
【０００７】
例示的な実施形態では、センサは、メディアデバイスに組み込まれたカメラであり、メディアデバイスは、ステップ（ｉｉ）において、カメラから受ける画像データの分析により、ユーザの物理的応答を検出するように構成される。物理的応答を検出するために使用され得る多くの既知の画像データ分析技術がある。
【０００８】
例示的な実施形態では、メディアデバイスは、ステップ（ｉｉ）において、ユーザの頭がカメラの視野内にある場合、メディアデバイスに対するユーザの頭の向きの変化を検出するように構成される。
【０００９】
例示的な実施形態では、メディアデバイスは、メディアデバイスの動きに関するデータを出力するように構成された動きセンサを組み込み、メディアデバイスは、ステップ（ｉｉ）において、動きセンサから受ける動きデータの分析により、ユーザの物理的応答を検出するように構成される。例えば、メディアデバイスのわずかな下向きの傾きが、意図された頭の動きを示し得ることが分かっている。
【００１０】
例示的な実施形態では、当該方法は、
（ｉｖ）ステップ（ｉｉｉ）において、ユーザの物理的応答が検出されない、又は表示された若しくは受けた命令に関連しない場合、ユーザによる物理的応答をトリガするためにプロンプト条件(prompt condition)を生成する。プロンプト条件は、例えば、ユーザにメッセージを表示すること、メディアデバイスのディスプレイへの更新をサスペンドすること、可聴信号を生成すること、及びメディアデバイスを振動させることのうちの少なくとも１つを含んでもよい。これらのタイプのプロンプトは、ユーザの気を散らす(distract)ため、又はメディアデバイスによって表示されているものに対するユーザの注意をそらすために生成され得ることが分かっている。これらの手段により、ユーザは、意図したとおりに応答する可能性がより高くなり得る。
【００１１】
例示的な実施形態では、システムの１つ以上のコンポーネントは、音響源、ディスプレイ、換気源、熱源、冷房デバイス、光源及び遮蔽デバイス(obscuring device)を含む。任意のこのようなコンポーネントを伴うシステムの構成は、本発明から利益を得て、ユーザによる期待されるインタラクション(expected interaction)を検証することができる。
【００１２】
例示的な実施形態では、システムは、照明システムであり、１つ以上のコンポーネントは、ユーザの近傍に位置する１つ以上の光源を含み、ポータブルメディアデバイスは、照明システムと相互運用するように構成される。
【００１３】
このようなアプリケーションにおいて、例示的な実施形態では、メディアデバイスは、メディアデバイスに対する１つ以上の光源の位置を決定する、又は該位置を定義するデータを受信する、及び、ステップ（ｉｉ）において、１つ以上の光源の既知の位置に対するユーザの頭の向きの変化を検出するように構成される。このようにして、ユーザが見る方向が決定され、１つ以上の光源の既知の場所と比較されてもよい。このようにして、メディアデバイス及び照明システムは、光源のうちのどれをユーザが見ているかを検出することができる。
【００１４】
照明システムに適用される例示的な実施形態では、ステップ（ｉ）は、１つ以上の光源の１つによる可視インディケーションをトリガすることを含み、期待される物理的応答は、ユーザが、およそ(approximately)光源の方向に頭を向けることを含む。
【００１５】
本願明細書に開示される第２の態様によれば、ユーザに感覚的効果を提供するための１つ以上のコンポーネントを有するシステムを制御するように構成されたメディアデバイスであって、当該メディアデバイスは、システムを構成するためにシステム及びユーザとインタラクトするように構成され、構成することは、ユーザに、システムの１つ以上のコンポーネントの構成に関する命令を表示する、又は、該ユーザから該命令を受けることであって、命令は、期待される物理的ユーザ応答を有する、ことと、ユーザの物理的応答を検出するために当該メディアデバイスに組み込まれたセンサからデータを受信することと、ユーザの検出された物理的応答が表示された又は受けた命令に関連するかどうかを判断することと、を含む、メディアデバイスが提供される。
【００１６】
例示的な実施形態では、当該メディアデバイスは、カメラ及び動きセンサのうちの少なくとも１つを組み込み、当該メディアデバイスは、カメラから受ける画像データの分析により、又は、動きセンサから受ける動きデータの分析により、ユーザの物理的応答を検出するように構成される。
【００１７】
例示的な実施形態では、当該メディアデバイスは、ユーザの物理的応答が検出されない、又は表示された若しくは受けた命令に関連しない場合、ユーザによる物理的応答をトリガするためにプロンプト条件を生成するように構成される。
【００１８】
本願明細書に開示される第３の態様によれば、照明システムであって、当該照明システムは、
１つ以上の光源と、
メディアデバイスによって当該照明システムの構成を可能にするためのメディアデバイスへのインターフェースとを含み、インターフェース及びメディアデバイスは、とりわけ照明システムの構成に適用される場合、本願明細書に開示される第１の態様による上述した方法を実施するように構成される、照明システムが提供される。
【００１９】
本願明細書に開示される第４の態様によれば、コンピュータプロセッサにインストールされ、実行された場合、コンピュータプロセッサに本願明細書に開示される第１の態様による上述した方法を実施させるコンピュータプログラムコードを含むコンピュータプログラムが提供される。
【図面の簡単な説明】
【００２０】
本開示の理解を支援するために、及び、どのようにして実施形態が実施され得るかを示すために、例として、添付の図面が参照される。
【図１】本開示の例示的な実施形態が適用され得る照明システムのコンポーネントを概略的に示す。
【図２】本開示の例示的な実施形態による構成プロシージャを示すフローチャートである。
【発明を実施するための形態】
【００２１】
以下で述べられる本発明の例示的な実施形態は、構成可能な照明システム(configurable illumination system)の文脈で提示される。照明システムは、ユーザに感覚的経験(sensory experience)を提供することができるシステムの一例である。そのようなシステムは、システムのコンポーネントの構成のために、ユーザとのあるレベルのインタラクションを必要とすることがよくある。本発明が適用され得る既知の照明システムの簡単な例が、最初に図１を参照して概説される。
【００２２】
図１を参照すると、制御可能なライト１０の配置(arrangement)が示されており、各ライトは、所定の又はユーザ定義の照明効果を提供するためにライト１０を制御するためのブリッジデバイス１２に無線でリンクされている。ブリッジデバイス１２は、ネットワークサービスプロバイダのルータ１６を介してインターネット１４にリンクされてもよい。ブリッジデバイス１２は、イーサネット若しくは同等のリンクケーブル１８を介して、又は無線でルータ１６と通信してもよい。
【００２３】
モバイルフォン２０又は他のポータブル若しくはハンドヘルドメディアデバイス２０は、メディアデバイス２０が照明システムのブリッジ１２と通信することを可能にするためにソフトウェアを実行してもよい。メディアデバイス２０は、関連するモバイルサービスプロバイダのネットワーク２２及びインターネットゲートウェイ２４を介してインターネットを通じてブリッジ１２と通信してもよい。代替的に、範囲内にある場合、メディアデバイス２０は、例えば、例えばルータ１６によって制御されるローカルｗｉ−ｆｉネットワークにより、ローカル無線リンクを確立してもよい。このようにして、メディアデバイス２０は、ユーザ２６が、ライト１０を構成する及び提供されるべき照明効果をデザイン又は選択するためにブリッジ１２とインタラクトすることを可能にする。
【００２４】
照明システムの他の例では、コントローラは、ブリッジ１２の機能、そうでなければポータブル又はハンドヘルドメディアデバイス２０上で実行されるソフトウェアによって実装されてもよい機能の選択、及びそうでなければシステムのライト１０において実装される機能の組み合わせを実装するために設けられてもよい。関連分野の当業者は、本発明の実施形態を実施するためにそのようなシステムにわたり機能を分散させる様々な可能な方法が分かるであろう。簡略化すると、照明システム内の光源１０は、任意選択に、機能をほとんど又はまったく実装しなくてもよく、所要の照明効果を生成するために有線リンクを介してライト１０に電力を供給する別個のコントローラによって制御可能であってもよい。
【００２５】
メディアデバイス２０上で実行されるソフトウェアによって実装されてもよい構成プロシージャの一例では、グラフィカルユーザインターフェースが、ユーザ２６が、メディアデバイス２０を介して、互いに対する、メディアデバイス２０に対する又はユーザ２６に対するライト１０の物理的配置の詳細を入力できるようにするために設けられる。そのような構成プロシージャの１つの段階で、ブリッジ１２を介してメディアデバイス２０は、ライト１０を点滅させ、どのライト１０が点滅しているかを検証するよう、グラフィカルユーザインターフェースを介して、ユーザに指示してもよい。ユーザ２６は、ライトの仮想表現を示す、メディアデバイス２０上に表示された画像を参照することにより、検証してもよい。しかしながら、ユーザは、ときおり、指示された際にディスプレイ上で誤ったライト１０を示すことが分かっている。１つの理由は、ユーザ２６が、指示された際にライト１０を見なかった、それゆえ、どのライト１０が点滅していたかを見なかったことである。
【００２６】
本発明の１つの例示的な実施形態は、例えば図１に示されるような照明システムのための修正された構成プロシージャを提供し、図１及びさらに図２を参照して以下で述べられる。
【００２７】
さらに図２を参照して、ユーザが意図したとおりに照明システムとインタラクトする確率を高めることを目的とした、照明システムのための構成プロシージャのステップを示すフローチャートが提供される。
【００２８】
ステップ３０で開始して、ユーザ２６は、構成プロシージャを開始し、ステップ３２で、ユーザ２６が物理的に応答することが期待される構成プロシージャのステップに到達する。例えば、メディアデバイス２０のディスプレイ５０に表示された指示に応答して、ユーザ２６は、どのライト１０が点滅しているのかを確認するために、何かを、例えば、点滅するライト１０を見るために頭を回すことが期待されてもよい。代替的に、ユーザ２６は、メディアシステム２０が照明システムの特定のライト１０に向けられるようにメディアシステム２０を向けるよう指示されてもよい。
【００２９】
ステップ３４において、期待される物理的応答に対応する応答が検出されない場合、ステップ３６において、期待通りに物理的に応答するようにユーザ２６を促すためにプロンプトが生成される。プロンプトは、例えば、構成プロシージャを実行するために使用されているメディアデバイス２０のディスプレイ５０を「フリーズ」すること、又はメディアデバイス２０若しくは照明システムのコンポーネントにおいてユーザによる何らかの注意を必要とする可視若しくは可聴メッセージを生成することを含んでもよい。プロンプトの生成に続いて、対応する物理的応答がステップ３４で検出された場合、プロシージャはステップ３８で継続し、ステップ４０において、ユーザ２６は、プロシージャの次のステップに進むか、プロシージャを終了する。
【００３０】
図２を参照して述べられる構成プロシージャは、固定、ポータブル又はハンドヘルドメディアデバイスを使用して実施されてもよい。しかしながら、このプロシージャは、ポータブル、とりわけ、「スマートフォン」等のハンドヘルドメディアデバイス２０での使用にとりわけ適している。そのようなデバイスは、図２のプロシージャにおけるステップ３４を実施するために本発明に従って使用され得る加速度計や１つ以上のカメラ５２等の組み込みセンサを備えている。ステップ３４のいくつかの例示的な実装例、及び本発明において検出及び利用されてもよいいくつかのユーザの物理的応答が、より詳細に述べられる。そのような機能は、コンポーネントが、ユーザ２６が応答することが期待され得る感覚的効果を提供することを伴うインタラクションを必要とする任意のシステムの構成又は操作において使用されるメディアデバイス２０に適用されてもよい。
【００３１】
本発明の１つの例示的な実施形態において、構成ステップは、ライト１０又は照明システムの他のコンポーネントの物理的配置の詳細をメディアデバイス２０を使用して入力するようにユーザ２６に指示するようメディアデバイス２０によって実施される。とりわけ、ユーザ２６は、ユーザ２６に対する、ディスプレイデバイス２０に対する、又は互いに対するライト１０の物理的位置又は方向を入力又は確認することが要求されてもよい。ライト１０の物理的配置の仮想表現が、メディアデバイス２０のディスプレイ５０に表示されてもよい。
【００３２】
構成ステップは、物理的配置におけるどのライト１０が表示された仮想表現に示されるライトに対応するかを確認するようにユーザ２６に要求してもよい。ユーザ２６がこれを達成するのを助けるために、メディアデバイス２０は、ブリッジ１２と通信し、ライト１０の１つを点滅させることをトリガしてもよく、又はどのライト１０が表示された仮想表現に示されるライトに関連付けられるべきかを示すために別の光学効果を生成してもよい。例えば、メディアデバイス２０は、ライト１０を見上げて、点滅している物理的ライト１０が、表示された仮想表現におけるハイライトされたライトに対応するかどうかを確認させるための指示をユーザ２６に表示してもよい。
【００３３】
本発明の簡単な実施形態では、メディアデバイス２０は、図２のプロシージャのステップ３４において、ユーザ２６が頭を回してメディアデバイス２０から目を離したかどうかを決定するように構成されてもよい。メディアデバイス２０は、自身のユーザに面するカメラ５２から、少なくともユーザ２６の頭の画像データを捕捉し、メディアデバイス２０上で画像データを処理してもよい。このようにして、構成ソフトウェアは、ユーザ２６の頭を回す動きを検出してもよい。頭の動きを検出するためにそのような画像データ分析が実行され得る多くの既知の技術があり、例えば、さまざまな向きの頭の画像の外部データベースを参照することによる、又はユーザ２６によるメディアデバイス２０の初期の構成中に捕捉されるユーザ２６の画像を捕捉して参照することが挙げられる。
【００３４】
ユーザ２６の単純な物理的応答のその他の検出可能な証拠には、メディアデバイス２０自体の動きが含まれる。ユーザ２６が見上げると、ユーザ２６はメディアデバイス２０をわずかに下向きに傾ける傾向があることが分かっている。予想される時間におけるメディアデバイス２０のそのような向きの変化は、メディアデバイス２０に組み込まれた加速度計からのデータを使用して、構成ソフトウェアを実行することによって検出されてもよい。
【００３５】
本発明のより複雑な実施形態では、カメラ５２からの画像データ及びメディアデバイス２０の加速度計からの動きデータの分析により、頭の動きの方向が、メディアデバイス２０の決定された向きに対して決定されてもよい。その後、メディアデバイス２０上で実行される構成ソフトウェアは、ユーザ２６が特定のライト１０の方を向いていたか、又は少なくとも特定のライト１０の一般的な方向を見ていたかを決定してもよい。メディアデバイスはまた、決定された方向を、表示された仮想表現においてハイライトされたライト１０の仮定された相対位置と比較し、これにより、２つの方向がほぼ一致する場合、ユーザ２６は期待どおりに応答したというさらなる証拠を得てもよい。
【００３６】
とりわけ、期待されるユーザ応答は、ユーザ２６が、特定のライト１０の方向を見ているとして定義されてもよい。ユーザが期待通りに応答したかどうかのテストは、その場合、ユーザによる検出された見ている方向と、ユーザ２６に対する物理的ライト１０の既知の方向との比較である。ユーザ２６が異なる方向を見ていることが判明した場合、例えば、検出された見ている方向の提案される変化を示すために、条件付きプロンプトが生成されてもよい。
【００３７】
ある程度の自信を持って頭の動きの方向が決定され得る場合、決定された頭の動きの方向自体が、特定の物理的ライト１０が点滅していたという確認がユーザ２６から必要とされるプロシージャの構成ステップに対する入力として使用されてもよい。これは、ライト１０及びユーザ２６の相対位置がすでに確立され、構成ソフトウェア及び／又はブリッジ１２によって提供される、又は記憶されている場合に実現されてもよい。
【００３８】
本発明のさらなる実施形態では、メディアデバイス２０は、点滅しているライト１０等のイベントを、組み込みカメラ５２からの画像データの分析によって、及び加速度データ（イベント検出時のメディアデバイス２０の向き）の分析によって検出してもよい。そのような実施形態におけるユーザ２６の期待される物理的応答は、指示された際にメディアデバイス２０のカメラ５２をライト１０に向けることを伴ってもよい。このようにして、ユーザ２６の物理的応答が、プロシージャのステップ３４において、カメラ５２による点滅しているライトの検出によって、及びメディアデバイス２０の向きの期待される変化によって確認される。さらに、開始位置に対するメディアデバイス２０の向きは、構成ソフトウェア又はブリッジ１２が、例えばユーザ２６の位置に対する、ライト１０の相対方向を決定すること、及び同様のステップにより、照明システムのすべてのライト１０の相対方向を決定することを可能にする。
【００３９】
プロシージャのステップ３４を実施する本発明の別の例示的な実施形態では、ユーザ２６による物理的応答の証拠は、メディアデバイス２０によって表示される（５０）グラフィカルユーザインターフェースを使用するユーザによる所定期間のポーズ(pause)を含んでもよい。例えば、メディアデバイス２０は、ユーザ２６の期待される物理的応答のタイミングに対応する、メディアデバイス２０のタッチスクリーンディスプレイ５０の連続するタッチ間の遅延を検出してもよい。
【００４０】
上記の方法等で期待される物理的応答の証拠が検出されない場合、１つ以上の異なるタイプのプロンプトが、メディアデバイス２０上で実行されている構成プロシージャソフトウェアの制御下で、又は構成プロシージャソフトウェアによってトリガされた場合照明システムブリッジ１２を介して生成されてもよい。このようなプロンプトは、メディアデバイス２０に表示されているものに対するユーザの注意を、ユーザ２６による期待される物理的応答を促すのに十分な時間中断させることが意図される。異なるタイプのプロンプトの例には、以下のうちの１つ以上が含まれてもよい。
−  メディアデバイス２０のディスプレイ５０にメッセージを表示する
−  メディアデバイス２０のディスプレイ５０に表示されているものの様相(appearance)を変える
−  メディアデバイス２０のディスプレイ５０の更新を所定の期間サスペンドする
−  メディアデバイス２０へのユーザ入力の受け入れを所定の期間サスペンドする
−  メディアデバイス２０において可聴音を生成する
−  照明システムのブリッジ１２を介してイベント、例えば、対応するライト１０の所定の点滅シーケンスをトリガする、又はそのようなファシリティが設けられている場合ライト１０において可聴音を生成する
−  メディアデバイス２０を振動させる
【００４１】
関連分野の当業者が思いつくであろう他のタイプのプロンプトが生成されてもよい。プロンプトを生成するためのオプションは、メディアデバイス２０、照明システム、又はメディアデバイス２０上で実行される構成ソフトウェア若しくは照明システムのブリッジ１２によって制御可能な任意の関連デバイスが備えるファシリティに依存してもよい。とりわけ、条件付きプロンプトは、ユーザ２６の実際に検出された応答とユーザ２６の意図された応答との間の差を考慮に入れるために生成されてもよい。例えば、ユーザ２６が誤った方向を見ていることが判明した場合、プロンプトは、例えば方向矢印を表示することにより、ユーザ２６が検出された方向に対してどのように方向を変えるべきかを示すために生成されてもよい。別の例では、可聴プロンプトが所要の物理的応答をもたらさない場合、より大きな可聴プロンプトが、所定期間後に生成されてもよく、又は以前に生成されたものとは異なるタイプのプロンプトが生成されてもよい。
【００４２】
上述のように、図２を参照して述べられたプロシージャは、モバイルフォン等のポータブル又はハンドヘルドメディアデバイス上で実行されるソフトウェアによって完全に実装されてもよい。必要な場合、データは、ブリッジを介して、又は構成されるべき照明システムのコントローラから無線で受信されてもよいが、本発明によるプロシージャのステップは、追加の機能が、照明システムのコンポーネントに設けられることを必ずしも必要としない。
【００４３】
本発明の実施形態の代替的な実装形態では、上記の機能のいくつかは、システムのブリッジ又はコントローラにインストールされ実行される追加のソフトウェアによって実装されてもよい。ポータブル若しくはハンドヘルドメディアデバイス２０、ブリッジ１２、システムのコンポーネント、又はシステムのコントローラの間の上記の機能の分散の多数の例が、本発明による構成機能の原理から逸脱することなく、関連技術の当業者には明らかである。
【００４４】
システムのブリッジ１２又はコントローラは、関連するメモリを有する従来のデジタルデータプロセッサを使用して実装されてもよい。コンピュータプログラムがメモリに格納され、デジタルプロセッサによって実行されて、上記の選択された機能を実装してもよい。代替的に、構成されたハードウェア論理デバイス及び従来のデジタルデータ処理ハードウェアの組み合わせが、選択された機能を実装するために使用されてもよい。
【００４５】
メディアデバイス２０は、コンピュータプログラムコードがデバイスにダウンロード及びインストールされ、上記の関連機能を実装するために実行され得る、ネットワークインターフェースを備えた従来のモバイルフォン、タブレット、又はラップトップコンピュータであってもよい。このようなモバイルフォンデバイスは、Ａｎｄｒｏｉｄ（登録商標）オペレーティングシステム又は既知のモバイルフォン製造者によって使用される任意の独自のオペレーティングシステムを使用してもよい。タブレット及びラップトップコンピュータ等のポータブルデバイスは、それぞれの独自又はオープンスタンダードのオペレーティングシステムを使用してもよい。それぞれのモバイルフォンサービス又はインターネットサービスプロバイダのインターフェースが、必要に応じて構成されるべきシステムと通信するためにインターネット又はローカルワイヤレスネットワークへのワイヤレス接続を可能にするためにインストールされてもよい。
【００４６】
タブレット又はラップトップコンピュータ等のポータブルデバイスが、上記の構成プロシージャを操作するためにメディアデバイス２０として使用される場合、ユーザ２６による物理的応答を検出するためのデバイス２０内の唯一のセンサは組み込みカメラ５２であるかもしれない。動きセンサは、メディアデバイス２０の動きを考慮に入れることを意図とした実施形態を実装するために利用可能ではないかもしれない。デバイス２０が動きセンサを備える場合でも、デバイス２０は固定位置で操作されるかもしれない。それゆえ、本発明では、メディアデバイス２０が、ユーザ２６の物理的応答を検出するためにカメラ５２以外を有することは必須ではない。
【００４７】
無線通信がシステムのコンポーネント間に必要とされる場合、既知の無線通信規格の一つに準拠する通信、例えば、ＩＥＥＥ  ８０２．１１又はＢｌｕｅｔｏｏｔｈ（登録商標）に準拠する通信が実装されてもよい。上述の本発明の実施形態では、そのような規格に準拠する無線通信は、照明システムブリッジデバイス１２とインターネットルータ１６との間、照明システムブリッジデバイス１２とライト１０との間、メディアデバイス２０とインターネットルータ１６との間、又は、メディアデバイス２０と照明システムブリッジデバイス１２との間に実装されてもよい。
【００４８】
図面、本開示、及び添付の請求項の検討によって、開示される実施形態に対する他の変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。単一のプロセッサ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。コンピュータプログラムは、他のハードウェアと共に、又は他のハードウェアの一部として供給される、光学記憶媒体又は固体媒体等の、好適な媒体において記憶／頒布されてもよいが、インターネット、又は他の有線若しくは無線の電気通信システム等を介して、他の形態で頒布されてもよい。請求項中のいかなる参照符号も、範囲を限定するものとして解釈されるべきではない。
【図１】
2020530651.tif 000003
【図２】
2020530651.tif 000004
【国際調査報告】
2020530651.tif 000005
2020530651.tif 000006